(57)【要約】【課題】一人暮らしの老人等の単身者世帯の単身者の見守りのための安否確認を確実迅速に行えると共に、設置が容易で安価な単身者世帯の単身者見守りシステムを提供する。【解決手段】単身者世帯の単身者２のトイレ３内への入室及び退室を感知する人感センサー４に接続された通信機５と、見守り者端末７とに、サーバー８が通信する単身者世帯の単身者見守りシステム１であって、サーバー８は、通信機５からトイレ３内への入室信号を受信すると、入室時間の計測を開始する手段と、退室信号を受信することなく、設定入室時間を超過すると、見守り者端末７に警報情報を送信する手段と、入室時間の計測を開始した後、設定入室時間を超過することなく、退室信号を受信すると、退室時間の計測を開始する手段と、退室時間の計測を開始した後、入室信号を受信することなく、設定退室時間を超過すると、見守り者端末７に警報情報を送信する手段とを備える。【選択図】図１
2012190294.tif 000002
【特許請求の範囲】
【請求項１】
単身者世帯の単身者のトイレ内への入室及び退室を感知して入室時に入室信号、退室時に退室信号を発信する人感センサーに接続された通信機と、見守り者端末とに、サーバーが通信するように接続された単身者世帯の単身者見守りシステムであって、
前記サーバーは、
前記通信機からトイレ内への入室信号を受信すると、入室時間の計測を開始する手段と、
退室信号を受信することなく、予め定めた設定入室時間を超過すると、前記見守り者端末に警報情報を送信する手段と、
入室時間の計測を開始した後、設定入室時間を超過することなく、退室信号を受信すると、退室時間の計測を開始する手段と、
退室時間の計測を開始した後、入室信号を受信することなく、予め定めた設定退室時間を超過すると、前記見守り者端末に警報情報を送信する手段とを備えたことを特徴とする単身者世帯の単身者見守りシステム。
【請求項２】
前記サーバーは、予め設定された一定期間毎に、前記一定期間内に前記通信機から少なくとも前記入室信号又は退室信号のうちいずれか１つを受信し、且つ、前記見守り者端末に前記警報情報を発信しなかった場合は、前記見守り者端末に一定期間内無事情報を発信する手段を備えたことを特徴とする請求項１記載の単身者世帯の単身者見守りシステム。
【請求項３】
単身者世帯の単身者のトイレ内への入室及び退室を感知して入室時に入室信号、退室時に退室信号を発信する人感センサーに接続された単身者世帯の単身者側端末と、見守り者端末とが通信するように接続された単身者世帯の単身者見守りシステムであって、
前記単身者世帯の単身者側端末は、
前記人感センサーからトイレ内への入室信号を受信すると、入室時間の計測を開始する手段と、
退室信号を受信することなく、予め定めた設定入室時間を超過すると、前記見守り者端末に警報情報を送信する手段と、
入室時間の計測を開始した後、退室信号を感知すると、退室時間の計測を開始する手段と、
退室時間の計測を開始した後、入室信号を受信することなく、予め定めた設定退室時間を超過すると、前記見守り者端末に警報情報を送信する手段とを備えたことを特徴とする単身者世帯の単身者見守りシステム。
【請求項４】
前記単身者世帯の単身者側端末は、予め設定された一定期間毎に、前記一定期間内に前記通信機から少なくとも前記入室信号又は退室信号のうちいずれか１つを受信し、且つ、前記見守り者端末に前記警報情報を発信しなかった場合は、前記見守り者端末に一定期間内無事情報を発信する手段を備えたことを特徴とする請求項３記載の単身者世帯の単身者見守りシステム。
【請求項５】
単身者世帯の単身者のトイレ内への入室及び退室を感知して入室時に入室信号、退室時に退室信号を発信する人感センサーに接続された単身者世帯の単身者側端末と、見守り者端末とに、サーバーが通信するように接続された単身者世帯の単身者見守りシステムであって、
前記単身者側端末は、
前記人感センサーから受信する入室信号及び退室信号を時刻と関連付けてログとして記録する手段を備え、
前記サーバーは、
前記単身者側端末から定期的に前記ログを受信する手段と、
受信したログの入室信号及び退室信号に係る時刻により入室時間及び退室時間を求める手段と、
求めた入室時間が予め定めた設定入室時間を超過している場合、又は、求めた退室時間が予め定めた設定退室時間を超過している場合、前記見守り者端末に警報情報を送信する手段とを備えたことを特徴とする単身者世帯の単身者見守りシステム。
【請求項６】
前記サーバーは、予め設定された一定期間毎に、前記一定期間内に前記単身者側端末から少なくとも前記入室信号又は退室信号のうちいずれか１つを含むログを受信し、且つ、前記見守り者端末に前記警報情報を発信しなかった場合は、前記見守り者端末に一定期間内無事情報を発信する手段を備えたことを特徴とする請求項５記載の単身者世帯の単身者見守りシステム。
【請求項７】
前記警報情報は、設定入室時間を超過した時、トイレ内異常警報情報が送信され、設定退室時間を超過した時、トイレ外異常警報情報が送信されることを特徴とする請求項１乃至６のうちいずれか一に記載の単身者世帯の単身者見守りシステム。
【請求項８】
単身者世帯の単身者のトイレ内への入室及び退室を感知して入室時に入室信号、退室時に退室信号を発信する人感センサーに接続された通信機と、見守り者端末とが通信するように接続された単身者世帯の単身者見守りシステムであって、
前記見守り者端末は、
前記通信機からトイレ内への入室信号を受信すると、入室時間の計測を開始する手段と、
退室信号を受信することなく、予め定めた設定入室時間を超過すると、警報情報を出力する手段と、
入室時間の計測を開始した後、設定入室時間を超過することなく、退室信号を受信すると、退室時間の計測を開始する手段と、
退室時間の計測を開始した後、入室信号を受信することなく、予め定めた設定退室時間を超過すると、警報情報を出力する手段とを備えたことを特徴とする単身者世帯の単身者見守りシステム。
【請求項９】
前記見守り者端末は、予め設定された一定期間毎に、前記一定期間内に前記通信機から少なくとも前記入室信号又は退室信号のうちいずれか１つを受信し、且つ、警報情報を出力しなかった場合は、一定期間内無事情報を出力する手段を備えたことを特徴とする請求項８記載の単身者世帯の単身者見守りシステム。
【請求項１０】
前記警報情報は、設定入室時間を超過した時、トイレ内異常警報情報が出力され、設定退室時間を超過した時、トイレ外異常警報情報が出力されることを特徴とする請求項８又は９記載の単身者世帯の単身者見守りシステム。
【請求項１１】
前記人感センサーは人を感知する赤外線センサー又は重量センサーであることを特徴とする請求項１乃至１０のうちいずれか一に記載の単身者世帯の単身者見守りシステム。
【請求項１２】
前記見守り者端末はメールを受信するパソコン、又は、携帯端末であり、或いは、電話音声を送受信する携帯端末であることを特徴とする請求項１乃至１１のうちいずれか一に記載の単身者世帯の単身者見守りシステム。
【発明の詳細な説明】
【技術分野】
【０００１】
本発明は、一人暮らしの老人、一人暮らしの身体障害者等の単身者世帯の単身者を見守るために安否確認を行う単身者世帯の単身者見守りシステムに関する。
【背景技術】
【０００２】
近年、一人暮らしの老人、一人暮らしの身体障害者等、所謂、単身者世帯の単身者が増加しており、特に、近年の高齢化や、核家族化等により、一人暮らしの老人は著しく増加している。
一方、最近の過疎化、近所付きあいの減少等により、隣人による見守りも期待できなくなり、又、医療関係者や、生活支援者等の訪問にも限度があることから、一人暮らしの老人、一人暮らしの身体障害者等の安否確認が充分に行えない場合が多く、それによって異常発生時の対応が遅れる問題が発生している。
【０００３】
そこで、問題対策の一つとして、例えば、一人暮らしの老人、一人暮らしの身体障害者等の見守りシステムが知られている。
例えば、特許文献１には、家庭内の電気ポットや炊飯ジャー等の電気製品に無線式通信機を取り付け、電気製品の操作情報をモニター手段に送信することにより、一人暮らしの老人や一人暮らしの身体障害者等の安否を遠距離監視可能な生活モニターシステムが記載されている。
又、例えば、特許文献２には、テレビ用リモコンから発せられた信号を検出し、所定時間内に再度信号が検出されない場合に生存確認必要信号を送信することにより、一人暮らしの老人の安否を容易に確認できる装置が記載されている。
更に、先行技術文献に記載されたものではないが、水洗トイレの給水管に流水を感知する感知器をとりつけ、その信号を通信機により発信することによりお年寄りの安否を確認するシステムが知られている。
【先行技術文献】
【特許文献】
【０００４】
【特許文献１】特開平１１−２２０７７９号公報
【特許文献２】特開２０００−２９３７７４号公報
【発明の概要】
【発明が解決しようとする課題】
【０００５】
前述したように、単身者世帯の単身者の見守りシステムとして種々のシステムが知られているが、更に、確実且つ迅速に一人暮らしの老人等の安否確認を行えると共に、設置が容易で安価なシステムが求められている。
単身者世帯の単身者の見守りシステムに於いては、例えば、単身者世帯の単身者が日常の生活を送る上で、必ず利用するもの、或いは利用する場所であって、特に、異常が発生しやすい危険な場所、例えば、トイレや風呂場を監視できれば、異常発生をより確実、迅速に確認でき、迅速な救護を行えることになる。
【０００６】
尚、公知例として、前述した水洗トイレの給水管に流水を感知する感知器をとりつけるシステムがあるが、この公知例のシステムは、設定時間内にトイレの水が流れない場合に問題発生を知らせるものであるため、トイレの水を流してから次にトイレの水を流すまでの時間として異常とみなされる比較的長い時間（例えば１２時間）が、問題発生を知らせるための設定時間として設定されることになり、例えば、トイレに入室したままトイレから出てこない場合の異常と思える時間を３時間とみなした場合に、前記設定時間との時間差が大きいためトイレ内の異常を迅速に発見できない虞がある。
又、この公知例のシステムは、警報が出力された時、トイレ内の異常警報であるか、トイレ外の異常警報であるかを区別できず、異常が発生したお年寄りの所在場所がトイレであった場合でも、その所在場所を迅速に特定できないため、迅速、適切な救護が行えない虞がある。
【０００７】
以上の現状に鑑み、本発明は、一人暮らしの老人等の単身者世帯の単身者の見守りのための安否確認を確実迅速に行えると共に、設置が容易で安価な単身者世帯の単身者見守りシステムを提供することを目的とする。
【課題を解決するための手段】
【０００８】
上記の課題を解決すべく、本発明は以下の構成を提供する。
請求項１に係る発明は、単身者世帯の単身者のトイレ内への入室及び退室を感知して入室時に入室信号、退室時に退室信号を発信する人感センサーに接続された通信機と、見守り者端末とに、サーバーが通信するように接続された単身者世帯の単身者見守りシステムであって、
前記サーバーは、
前記通信機からトイレ内への入室信号を受信すると、入室時間の計測を開始する手段と、
退室信号を受信することなく、予め定めた設定入室時間を超過すると、前記見守り者端末に警報情報を送信する手段と、
入室時間の計測を開始した後、設定入室時間を超過することなく、退室信号を受信すると、退室時間の計測を開始する手段と、
退室時間の計測を開始した後、入室信号を受信することなく、予め定めた設定退室時間を超過すると、前記見守り者端末に警報情報を送信する手段とを備えたことを特徴とする単身者世帯の単身者見守りシステムを提供するものである。
【０００９】
請求項２に係る発明は、前記サーバーは、予め設定された一定期間毎に、前記一定期間内に前記通信機から少なくとも前記入室信号又は退室信号のうちいずれか１つを受信し、且つ、前記見守り者端末に前記警報情報を発信しなかった場合は、前記見守り者端末に一定期間内無事情報を発信する手段を備えたことを特徴とする請求項１記載の単身者世帯の単身者見守りシステムを提供するものである。
【００１０】
請求項３に係る発明は、単身者世帯の単身者のトイレ内への入室及び退室を感知して入室時に入室信号、退室時に退室信号を発信する人感センサーに接続された単身者世帯の単身者側端末と、見守り者端末とが通信するように接続された単身者世帯の単身者見守りシステムであって、
前記単身者世帯の単身者側端末は、
前記人感センサーからトイレ内への入室信号を受信すると、入室時間の計測を開始する手段と、
退室信号を受信することなく、予め定めた設定入室時間を超過すると、前記見守り者端末に警報情報を送信する手段と、
入室時間の計測を開始した後、退室信号を感知すると、退室時間の計測を開始する手段と、
退室時間の計測を開始した後、入室信号を受信することなく、予め定めた設定退室時間を超過すると、前記見守り者端末に警報情報を送信する手段とを備えたことを特徴とする単身者世帯の単身者見守りシステムを提供するものである。
【００１１】
請求項４に係る発明は、前記単身者世帯の単身者側端末は、予め設定された一定期間毎に、前記一定期間内に前記通信機から少なくとも前記入室信号又は退室信号のうちいずれか１つを受信し、且つ、前記見守り者端末に前記警報情報を発信しなかった場合は、前記見守り者端末に一定期間内無事情報を発信する手段を備えたことを特徴とする請求項３記載の単身者世帯の単身者見守りシステムを提供するものである。
【００１２】
請求項５に係る発明は、単身者世帯の単身者のトイレ内への入室及び退室を感知して入室時に入室信号、退室時に退室信号を発信する人感センサーに接続された単身者世帯の単身者側端末と、見守り者端末とに、サーバーが通信するように接続された単身者世帯の単身者見守りシステムであって、
前記単身者側端末は、
前記人感センサーから受信する入室信号及び退室信号を時刻と関連付けてログとして記録する手段を備え、
前記サーバーは、
前記単身者側端末から定期的に前記ログを受信する手段と、
受信したログの入室信号及び退室信号に係る時刻により入室時間及び退室時間を求める手段と、
求めた入室時間が予め定めた設定入室時間を超過している場合、又は、求めた退室時間が予め定めた設定退室時間を超過している場合、前記見守り者端末に警報情報を送信する手段とを備えたことを特徴とする単身者世帯の単身者見守りシステムを提供するものである。
【００１３】
請求項６に係る発明は、前記サーバーは、予め設定された一定期間毎に、前記一定期間内に前記単身者側端末から少なくとも前記入室信号又は退室信号のうちいずれか１つを含むログを受信し、且つ、前記見守り者端末に前記警報情報を発信しなかった場合は、前記見守り者端末に一定期間内無事情報を発信する手段を備えたことを特徴とする請求項５記載の単身者世帯の単身者見守りシステムを提供するものである。
【００１４】
請求項７に係る発明は、前記警報情報は、設定入室時間を超過した時、トイレ内異常警報情報が送信され、設定退室時間を超過した時、トイレ外異常警報情報が送信されることを特徴とする請求項１乃至４のうちいずれか一に記載の単身者世帯の単身者見守りシステムを提供するものである。
【００１５】
請求項８に係る発明は、単身者世帯の単身者のトイレ内への入室及び退室を感知して入室時に入室信号、退室時に退室信号を発信する人感センサーに接続された通信機と、見守り者端末とが通信するように接続された単身者世帯の単身者見守りシステムであって、
前記見守り者端末は、
前記通信機からトイレ内への入室信号を受信すると、入室時間の計測を開始する手段と、
退室信号を受信することなく、予め定めた設定入室時間を超過すると、警報情報を出力する手段と、
入室時間の計測を開始した後、設定入室時間を超過することなく、退室信号を受信すると、退室時間の計測を開始する手段と、
退室時間の計測を開始した後、入室信号を受信することなく、予め定めた設定退室時間を超過すると、警報情報を出力する手段とを備えたことを特徴とする単身者世帯の単身者見守りシステムを提供するものである。
【００１６】
請求項９に係る発明は、前記見守り者端末は、予め設定された一定期間毎に、前記一定期間内に前記通信機から少なくとも前記入室信号又は退室信号のうちいずれか１つを受信し、且つ、警報情報を出力しなかった場合は、一定期間内無事情報を出力する手段を備えたことを特徴とする請求項８記載の単身者世帯の単身者見守りシステムを提供するものである。
【００１７】
請求項１０に係る発明は、前記警報情報は、設定入室時間を超過した時、トイレ内異常警報情報が出力され、設定退室時間を超過した時、トイレ外異常警報情報が出力されることを特徴とする請求項８又は９記載の単身者世帯の単身者見守りシステムを提供するものである。
【００１８】
請求項１１に係る発明は、前記人感センサーは人を感知する赤外線センサー又は重量センサーであることを特徴とする請求項１乃至１０のうちいずれか一に記載の単身者世帯の単身者見守りシステムを提供するものである。
【００１９】
請求項１２に係る発明は、前記見守り者端末はメールを受信するパソコン、又は、携帯端末であり、或いは、電話音声を送受信する携帯端末であることを特徴とする請求項１乃至１１のうちいずれか一に記載の単身者世帯の単身者見守りシステムを提供するものである。
【発明の効果】
【００２０】
本発明の請求項１記載の発明によれば、一人暮らしの老人、一人暮らしの身体障害者等の単身者世帯の単身者の見守りのための安否確認を確実迅速に行えると共に、設置が容易で安価な単身者世帯の単身者見守りシステムを提供することができる。
又、設定入室時間を設定退室時間と異なる時間に設定できることにより、特に、トイレ内入室時間として異常と思える適切な時間を設定入室時間に設定でき、トイレ内の異常を迅速に発見できる。
【００２１】
請求項２記載の発明によれば、請求項１記載の発明の効果に加え、見守り者は、単身者世帯の単身者に異常がない場合に、一定期間毎に、異常がない旨の情報（無事情報）を受けることができ、無事であることを確認できる。
【００２２】
請求項３記載の発明によれば、一人暮らしの老人、一人暮らしの身体障害者等の単身者世帯の単身者の見守りのための安否確認を確実迅速に行えると共に、設置が容易で安価な単身者世帯の単身者見守りシステムを提供することができる。
又、設定入室時間を設定退室時間と異なる時間に設定できることにより、特に、トイレ内入室時間として異常と思える適切な時間を設定入室時間に設定でき、トイレ内の異常を迅速に発見できる。
【００２３】
請求項４記載の発明によれば、請求項３記載の発明の効果に加え、見守り者は、単身者世帯の単身者に異常がない場合に、一定期間毎に、異常がない旨の情報（無事情報）を受けることができ、無事であることを確認できる。
【００２４】
請求項５記載の発明によれば、一人暮らしの老人、一人暮らしの身体障害者等の単身者世帯の単身者の見守りのための安否確認を確実迅速に行えると共に、設置が容易で安価な単身者世帯の単身者見守りシステムを提供することができる。
又、設定入室時間を設定退室時間と異なる時間に設定できることにより、特に、トイレ内入室時間として異常と思える適切な時間を設定入室時間に設定でき、トイレ内の異常を迅速に発見できる。
更に、ログとして記憶させることにより、通信回数を減らすことができる。
【００２５】
請求項６記載の発明によれば、請求項５記載の発明の効果に加え、見守り者は、単身者世帯の単身者に異常がない場合に、一定期間毎に、異常がない旨の情報（無事情報）を受けることができ、無事であることを確認できる。
【００２６】
請求項７記載の発明によれば、請求項１乃至６のうちいずれか一に記載の発明の効果に加え、警報情報が、トイレ内の異常警報であるか、トイレ外の異常警報であるかを確認でき、特に、トイレ内で異常が発生した時に、救護等の対応を迅速的確に行える。
【００２７】
請求項８記載の発明によれば、一人暮らしの老人、一人暮らしの身体障害者等の単身者世帯の単身者の見守りのための安否確認を確実迅速に行えると共に、設置が容易で安価な単身者世帯の単身者見守りシステムを提供することができる。
又、設定入室時間を設定退室時間と異なる時間に設定できることにより、特に、トイレ内入室時間として異常と思える適切な時間を設定入室時間に設定でき、トイレ内の異常を迅速に発見できる。
【００２８】
請求項９記載の発明によれば、請求項８記載の発明の効果に加え、見守り者は、単身者世帯の単身者に異常がない場合に、一定期間毎に、異常がない旨の情報（無事情報）を受けることができ、無事であることを確認できる。
【００２９】
請求項１０記載の発明によれば、請求項８又は９記載の発明の効果に加え、警報情報が、トイレ内の異常警報であるか、トイレ外の異常警報であるかを確認でき、特に、トイレ内で異常が発生した時に、救護等の対応を迅速的確に行える。
【００３０】
請求項１１記載の発明によれば、請求項１乃至１０のうちいずれか一に記載の発明の効果に加え、前記人感センサーは人を感知する赤外線センサー又は重量センサーであるので、単身者世帯の単身者がトイレ内に入室している間、トイレ内の単身者世帯の単身者を確実に感知することができる。
【００３１】
請求項１２記載の発明によれば、請求項１乃至１１のうちいずれか一に記載の発明の効果に加え、前記見守り者端末はメールを受信するパソコン、又は、携帯端末であり、或いは、電話音声を送受信する携帯端末であるので、見守り者はメール又は音声により、単身者世帯の単身者の異常警報、又は、無事情報を得ることができる。
【図面の簡単な説明】
【００３２】
【図１】本発明の実施例１に係る単身者世帯の単身者見守りシステムの概略システム構成図である。
【図２】単身者世帯の単身者がトイレをある期間、何度か使用する場合に於ける、人感センサーの感知状況を時間経過で示したグラフである。
【図３】本発明の実施例１に係る単身者世帯の単身者見守りシステムのサーバーによる処理のフローチャート図である。
【図４】本発明の実施例１に係る単身者世帯の単身者見守りシステムの無事情報発信処理のフローチャート図である。
【図５】本発明の実施例１に係る単身者世帯の単身者見守りシステムの開始指示処理のフローチャート図である。
【図６】本発明の実施例１に係る単身者世帯の単身者見守りシステムの終了指示処理のフローチャート図である。
【図７】本発明の実施例１に係る単身者世帯の単身者見守りシステムの設定値登録処理のフローチャート図である。
【図８】本発明の各実施例別の単身者世帯の単身者見守りシステムの比較表である。
【図９】本発明の実施例２に係る単身者世帯の単身者見守りシステムの概略システム構成図である。
【図１０】本発明の実施例３に係る単身者世帯の単身者見守りシステムの概略システム構成図である。
【図１１】本発明の実施例３に係る単身者世帯の単身者見守りシステムの単身者世帯の単身者側端末による処理のフローチャート図である。
【図１２】本発明の実施例４に係る単身者世帯の単身者見守りシステムの概略システム構成図である。
【発明を実施するための形態】
【００３３】
以下、実施例を示した図面を参照しつつ本発明の実施の形態を説明する。
尚、上記サーバー、見守り者端末、及び、単身者世帯の単身者側端末はコンピュータであり、上記各手段は、コンピュータのＣＰＵが必要なコンピュータプログラムを読み込んで実行することにより実現される手段であり、そのフローチャート図が図３乃至図７、図１０、図１１、図１３、図１４である。
【００３４】
図１に於いて、１は、本発明の第１実施例の単身者世帯の単身者見守りシステムであり、単身者世帯の単身者見守りシステム１は、一人暮らしの老人や、一人暮らしの身体障害者等、その健康状態等の見守りを必要とする単身者世帯の単身者２のトイレ３内への入室及び退室を感知する人感センサー４に接続された通信機５と、単身者２を見守り、安否を確認したい見守り者６が操作する見守り者端末７とに、サーバー８が通信網９を介して通信するように接続されたシステムである。
【００３５】
前記見守り者６は、単身者２の住居１０から離れた場所で単身者２を見守る単身者２の家族、親類、知人、医療関係者、公的機関関係者、救護等事業者等であり、一人、或いは、複数人が想定される。
尚、前記見守り者６は、単身者２から離れた部屋、又は、場所で見守ることも可能である。
前記見守り者端末７は、メールを受信するパソコン１１、又は、携帯端末１２であり、単機、又は、複数機であっても良く、携帯端末１２は、公衆回線を介して電話音声を送受信する携帯電話であっても良い。
【００３６】
前記人感センサー４は人を感知する、例えば、赤外線センサーであり、トイレ３の天井、壁等に設置されて、単身者２のトイレ３への入室と、退室を感知し、入室時に入室信号、退室時に退室信号を発信する。
尚、前記人感センサー４は、赤外線センサーに限定されるものではなく、他の人感センサーであっても良く、例えば、単身者２のトイレ３内への入室及び退室を感知する重量センサーであっても良い。その場合、例えば、重量センサーは、トイレ３の床に置き、単身者２の重量を感知した時に入室信号を発信し、単身者２の重量を感知しなくなった時に退室信号を発信する構成とする。
尚、ここでは、前記人感センサー４に赤外線センサーを用いた場合について説明する。
通信機５は、人感センサー４が発信する入室信号及び退室信号を通信網９を介してサーバー８に送信する。
【００３７】
尚、単身者２以外の者がトイレを使用する場合も人感センサー４に感知されるが、その場合の説明については、後述する。
又、図１に於いて、１３は携帯端末１２、又は、通信機５と通信網９の公衆回線とを結ぶための基地局である。
尚、前記通信機５は、無線通信ではなく、固定電話回線を介してサーバー８と通信接続されても良い。
【００３８】
図２は、単身者２がある期間、何度かトイレ３を使用する場合の前記人感センサー４の感知状況を時間の経過で示したものであり、単身者２がトイレ３に入室している時間、即ち、人感センサー４による入室感知により、入室信号を発信してから、退室感知により、退室信号を発信するまでの時間毎に夫々入室時間ｔ１，ｔ２，ｔ３…で示し、単身者２がトイレ３から退室している時間、即ち、即ち、人感センサー４による退室感知により、退室信号を発信してから、入室感知により、入室信号を発信するまでの時間を時間毎に夫々退室時間Ｔ１，Ｔ２…で示している。本発明は、前記入室時間ｔ１，ｔ２，ｔ３…、前記退室時間Ｔ１，Ｔ２…のいずれかが設定時間を超過しないか監視するものである。
【００３９】
而して、次に、単身者世帯の単身者見守りシステム１の処理の流れについて説明する。
図１に於いて、単身者２がトイレ３に入ると、人感センサー４が単身者２の入室を感知して入室信号を通信機５に送信する。単身者２がトイレ３から出ると、人感センサー４が単身者２の退室を感知して退室信号を通信機５に送信する。
通信機５は受信した入室信号又は退室信号をサーバー８に送信する。
【００４０】
図３は、サーバー８の処理のフローチャートである。
サーバー８は通信機５からトイレ３内への入室信号を受信すると（ステップＳ１）、入室時間の計測を開始する（ステップＳ２）。
そして、入室時間の計測を開始してから、退室信号を受信することなく（ステップＳ３）、予め定めた設定入室時間（例えば３時間）を超過すると（ステップＳ４）、見守り者端末７にトイレ３内で異常が起こった可能性があることを知らせるトイレ内異常警報情報を送信する（ステップＳ５）。
この時、見守り者端末７が、メールを受信するパソコン１１、又は、メールを受信する携帯端末１２であった場合は、通信網９のインターネットを通して、トイレ内異常警報情報を含むメールをパソコン１１、又は、携帯端末１２に送信する。
携帯端末１２が、音声受信するように登録又は設定された携帯電話であった場合は、通信網９の公衆回線を通して、トイレ内異常警報情報を音声で携帯端末１２に送信する。
【００４１】
入室時間の計測を開始した後、設定入室時間を超過することなく（ステップＳ４）、退室信号を受信すると（ステップＳ３）、退室時間の計測を開始し（ステップＳ６）、退室時間の計測を開始した後、入室信号を受信することなく（ステップＳ７）、予め定めた設定退室時間（例えば１２時間）を超過すると（ステップＳ８）、トイレ外で異常が起こった可能性があることを知らせるトイレ外異常警報情報を見守り者端末７に送信する（ステップＳ９）。
この時、前述と同様に、見守り者端末７が、メールを受信するパソコン１１、又は、メールを受信する携帯端末１２であった場合は、通信網９のインターネットを通して、トイレ外異常警報情報を含むメールをパソコン１１、又は、携帯端末１２に送信する。
見守り者端末７が、音声受信するように登録又は設定された携帯電話であった場合は、通信網９の公衆回線を通して、トイレ外で異常が起こった可能性がある警報情報を音声で携帯端末１２に送信する。
警報情報が送信された後、サーバー８が見守り者端末７や入力装置等からの外部入力等により処理を停止されない場合（ステップＳ１０）、ステップＳ１に戻り、前述の処理と同様の処理を繰り返す。
【００４２】
見守り者６が、見守り者端末７により、トイレ内異常警報情報又はトイレ外異常警報情報を受けた場合、図１に示すごとく、見守り者６は、単身者２を直接救護に向かうか、救護を行うことが可能な近くの家族、隣人、親類、知人、生活支援者、医療関係者、公的機関関係者、救護等事業者等にトイレ内異常警報情報又はトイレ外異常警報情報を受けた旨の連絡をして、単身者２を救護して貰うことになる。
【００４３】
図４は、単身者世帯の単身者見守りシステム１に於いて、単身者２が無事であることを知らせるサーバー８の無事情報発信処理のフローチャートである。
この処理は、サーバー８に於いて、前図３に示す単身者世帯の単身者見守りシステムの処理と並列に別処理で行なわれる。
サーバー８は、予め設定された一定期間（例えば、１日、１週間、又は、１ヶ月）内に通信機５から前記入室信号又は退室信号のうち少なくともいずれか１つを受信し（ステップＳ２１）、且つ、見守り者端末７に前記トイレ内異常警報情報又はトイレ外異常警報情報を発信しなかった場合は（ステップＳ２２）、その一定期間経過後に（ステップＳ２３）、見守り者端末７に単身者２が一定期間、無事であることを知らせる無事情報を発信する（ステップＳ２４）。無事情報を発信した後、この処理を継続して繰り返すことにより、単身者２が無事であれば、見守り者６は、定期的に無事情報を受け取ることができる。
尚、前記一定期間内に見守り者端末７にトイレ内異常警報情報又はトイレ外異常警報情報が発信された場合は（ステップＳ２２）、処理をリセット（少なくとも前記一定期間の計測を中止してリセットする）した後に（ステップＳ２５）、処理をステップＳ２１から再開する。リセットしない場合は、例えば所定時間後に処理を終了する。
【００４４】
図５及び図６は、サーバー８が見守り者端末７からの開始信号又は終了信号を受信して（ステップＳ３１，Ｓ４１）、前図３の単身者世帯の単身者見守りシステムの処理を開始又は終了する処理を示している。
このように、見守り者端末７により、サーバー８の開始と終了を制御することも可能である。
【００４５】
図７は、見守り者端末７から、又は、サーバー８の入力装置（図示せず）により、サーバー８に設定値を登録する処理を示している。
サーバー８はサーバー８の入力装置、又は、見守り者端末７から設定値を受信すると（ステップＳ５１）、サーバー８が備える記憶装置（図示せず）のデータベース等に設定値を登録する（ステップＳ５２）。
尚、見守り者端末７から設定値を登録する場合、サーバー８から見守り者端末７へｗｅｂページ等による設定画面を送信する構成としても良い。
【００４６】
又、本発明の第１実施例の単身者世帯の単身者見守りシステム１に於いて、例えば、一時的な同居者、一時的訪問者等の単身者２以外の者がトイレ３を使用する場合も人感センサー４に感知されるが、その場合について説明する。
基本的には、単身者２以外の者が単身者２と同じトイレ３を夫々使用する場合は、単身者世帯の単身者見守りシステム１の処理を止めることが望ましい。
然しながら、単身者世帯の単身者見守りシステム１の処理を止めなかった場合には、単身者世帯の単身者見守りシステム１は、次のように作動する。
単身者２と単身者２以外の者とが夫々同じトイレ３を使用する場合で、単身者２と単身者２以外の者が、ともに健康で異常が発生しない場合は、無事情報が発信される。
【００４７】
単身者２と単身者２以外の者の何れかにトイレ３内で異常が発生した場合、トイレ内異常警報が発信される。
単身者２と単身者２以外の者の何れかにトイレ３外で異常が発生した場合、他方がトイレ３を使用するとトイレ外異常警報が発信されない虞がある。
但し、この場合は、異常が発生してない者が近くにいて、異常が発生した者を発見できる可能性が高く、その場合は、異常が発生してない者が、異常が発生した者を救援したり、或いは、他に救援を求めることができるものと思われる。
単身者２と単身者２以外の者の双方にトイレ３外で異常が発生した場合、トイレ外異常警報が発信される。
【００４８】
尚、図示は省略するが、本発明の単身者世帯の単身者見守りシステム１は、次のような機能を追加することも可能である。
例えば、サーバー８が、通信機５から送信される入室信号及び退室信号をデータベースに蓄積し、その情報を例えばｗｅｂページ等で見守り者端末７に閲覧可能にする機能を追加する。
これにより、見守り者６は、単身者２の詳細な情報を把握することができ、より細やかな見守りが可能となる。
例えば、毎日規則的にトイレ３への入室及び退室があり、入室時間、退室時間も規則的であれば、良い健康状態を維持できていることが推測でき、設定時間を超過しない範囲で入室時間、退室時間が、通常よりも短くなったり、長くなったり、不規則になっている場合は、体調が良くないかもしれないと推測できる。
尚、前記単身者世帯の単身者見守りシステム１に於いて、前記通信機５の通信網９として、固定電話回線、又は、固定電話回線及びインターネットを用いても良い。又、前記見守り者端末７は、前記携帯端末１２に代えて、或いは、携帯端末１２に加えて、公衆回線を介して電話音声を送受信する固定電話を設けても良い。
【００４９】
前述した実施例１の単身者世帯の単身者見守りシステム１に於いては、単身者世帯の単身者見守りシステム１に於ける主な情報処理（図３に示す処理）をサーバー８が行うものであるが、これに代えて、後述する実施例２，３の如く、システムに於ける主な情報処理をサーバー以外で行うことも可能である。
図８は、前述した実施例１の単身者世帯の単身者見守りシステムと、後述する実施例２乃至４の単身者世帯の単身者見守りシステムとを比較したものである。
実施例１の単身者世帯の単身者見守りシステムは、単身者世帯の単身者側に通信機を設置し、通信網としてインターネットを用い、或いはインターネット及び公衆回線を用い、見守り者側に見守り者端末を設置し、更に、サーバーを設置して、主な情報処理をサーバーで行うものである。
実施例２の単身者世帯の単身者見守りシステムは、実施例１の単身者世帯の単身者見守りシステム１の単身者世帯の単身者側に、前記通信機（図１に於いて５）に代えて、情報処理が可能なＣＰＵを搭載する単身者世帯の単身者側端末を設置し、主な情報処理を単身者世帯の単身者側端末で行うものであり、前記サーバー（図１に於いて８）は設置しないものである。
【００５０】
実施例３の単身者世帯の単身者見守りシステムは、実施例１の単身者世帯の単身者見守りシステム１の単身者世帯の単身者側に、前記通信機（図１に於いて５）に代えて、情報処理が可能なＣＰＵを搭載する単身者世帯の単身者側端末を設置し、通信網としてインターネットを用い、或いはインターネット及び公衆回線を用い、見守り者側に見守り者端末を設置し、更に、サーバーを設置して、主な情報処理をサーバーで行うものである。
実施例４の単身者世帯の単身者見守りシステムは、実施例１の単身者世帯の単身者見守りシステム１の前記サーバー（図１に於いて８）を設置しないものであり、そのため主な情報処理は見守り者端末で行うものである。
以下、実施例２乃至４の単身者世帯の単身者見守りシステムについて順次説明する。
【００５１】
図９は、実施例２の単身者世帯の単身者見守りシステム３１であり、単身者世帯の単身者見守りシステム３１は、前述したように、単身者２側に前記通信機（図１に於いて５）に代えて、情報処理が可能なＣＰＵを搭載する単身者世帯の単身者側端末３２を設置し、通信網９としてインターネットを用い、或いはインターネット及び公衆回線を用い、見守り者６側に見守り者端末７を設置し、主な情報処理を単身者側端末３２で行うものである。
【００５２】
単身者世帯の単身者見守りシステム３１に於ける単身者側端末３２の処理のフローチャートは、前記単身者世帯の単身者見守りシステム（図１に於いて１）の処理の図３に示すフローチャートと同じである。但し、前記サーバー（図１に於いて８）が行う処理を単身者側端末３２が行い、単身者側端末３２は、人感センサー４から入室信号及び退室信号を受信し、見守り者端末７に警報情報を送信する。
【００５３】
又、単身者世帯の単身者見守りシステム３１に於いて、単身者２が無事であることを知らせる単身者側端末３２の無事情報発信処理のフローチャートは、前記単身者世帯の単身者見守りシステム（図１に於いて１）の処理の図４に示すフローチャートと同じである。但し、前記サーバー（図１に於いて８）が行う処理を単身者側端末３２が行い、単身者側端末３２は、見守り者端末７に無事情報を送信する。
【００５４】
更に、単身者世帯の単身者見守りシステム３１に於いても前記図５及び図６と同様に、単身者側端末３２が見守り者端末７からの開始信号又は終了信号を受信して、前図９の単身者世帯の単身者見守りシステム３１の処理を開始又は終了するように構成することも可能である。
又、前記図７と同様に、単身者側端末３２は入力装置、又は、見守り者端末７から設定値を受信して、単身者側端末３２が備える記憶装置（図示せず）に設定値を登録することが可能である。
尚、単身者世帯の単身者見守りシステム３１に於いて、前記単身者端末３２の通信網９として、固定電話回線、又は、固定電話回線及びインターネットを用いても良い。又、前記見守り者端末７は、前記携帯端末１２に代えて、或いは、携帯端末１２に加えて、公衆回線を介して電話音声を送受信する固定電話であっても良い。
【００５５】
図１０は、実施例３の単身者世帯の単身者見守りシステム４１であり、単身者世帯の単身者見守りシステム４１は、前述したように、実施例１の単身者世帯の単身者見守りシステム１の単身者世帯の単身者側に、前記通信機（図１に於いて５）に代えて、情報処理が可能なＣＰＵを搭載する単身者世帯の単身者側端末３２を設置し、通信網９としてインターネットを用い、或いはインターネット及び公衆回線を用い、見守り者側に見守り者端末７を設置し、更に、サーバー８を設置して、主な情報処理をサーバー８で行うものである。
但し、単身者側端末３２は、人感センサー４から受信する入室信号及び退室信号を時刻と関連付けてログ（操作記録）として記録し、サーバー８は、定期的に単身者側端末３２に記録されたログを取得（受信）するものとする。
【００５６】
図１１は、単身者世帯の単身者見守りシステム４１に於けるサーバー８の処理のフローチャートである。
サーバー８は、単身者側端末３２から定期的にログを取得するが（ステップＳ６１）、ログを取得（受信）した時、既に受信した前回受信ログがない場合（ステップＳ６２）、今回受信したログの入室信号及び退室信号に係る時刻により入室時間及び退室時間を求め（時間計算し）（ステップＳ６３）、前回受信ログがある場合、前回受信ログも考慮して、即ち、前回受信ログの入室信号及び退室信号のうちの最終信号及びその時刻と、今回受信したログの入室信号及び退室信号に係る時刻により入室時間及び退室時間を求める（時間計算する）（ステップＳ６４）。
ステップ６３又は６４により求めた入室時間が予め定めた設定入室時間を超過している場合、又は、求めた退室時間が予め定めた設定退室時間を超過している場合（ステップＳ６５）、見守り者端末７に警報情報を送信する（ステップＳ６６）。警報情報を送信した後、或いはステップＳ６５で設定入室時間、又は、設定退室時間を超過していない場合に於いて、処理を終了しない場合は、定期的なログ受信（取得）のために待機する。
【００５７】
単身者世帯の単身者見守りシステム４１に於いて、単身者２が無事であることを知らせるサーバー８の無事情報発信処理のフローチャートは、前記単身者世帯の単身者見守りシステム（図１に於いて１）の処理の図４に示すフローチャートと同じである。但し、サーバー８は、予め設定された一定期間毎に、一定期間内に単身者側端末３２から少なくとも入室信号又は退室信号のうちいずれか１つを含むログを受信し、且つ、見守り者端末７に警報情報を発信しなかった場合に、見守り者端末７に一定期間内無事情報を発信する。
【００５８】
更に、図示は省略するが、単身者世帯の単身者見守りシステム４１に於いても前記図５及び図６と同様に、サーバー８が見守り者端末７からの開始信号又は終了信号を受信して、前記単身者世帯の単身者見守りシステム４１の処理を開始又は終了する。
又、前記図７と同様に、見守り者端末７から、又は、サーバー８の入力装置（図示せず）により、サーバー８に設定値を登録する。
尚、単身者世帯の単身者見守りシステム４１に於いて、前記単身者側端末３２の通信網９として、固定電話回線、又は、固定電話回線及びインターネットを用いても良い。又、前記見守り者端末７は、前記携帯端末１２に代えて、或いは、携帯端末１２に加えて、公衆回線を介して電話音声を送受信する固定電話を備えても良い。
【００５９】
図１２は、実施例４の単身者世帯の単身者見守りシステム５１であり、単身者世帯の単身者見守りシステム５１は、前述したように、単身者２側に通信機５を設置し、通信網９としてインターネットを用い、或いはインターネット及び公衆回線を用い、見守り者６側に見守り者端末７を設置し、主な情報処理を見守り者端末７で行うものであり、前記サーバー（図１に於いて８）は設置しないものである。
【００６０】
単身者世帯の単身者見守りシステム５１に於ける見守り者端末７の処理のフローチャートは、前記単身者世帯の単身者見守りシステム（図１に於いて１）の処理の図３に示すフローチャートと同じである。但し、前記サーバー（図１に於いて８）が行う処理を見守り者端末７が行い、見守り者端末７は、通信機５から入室信号及び退室信号を受信し、見守り者端末７が警報を出力する。
【００６１】
又、単身者世帯の単身者見守りシステム５１に於いて、単身者２が無事であることを知らせる見守り者端末７の無事情報発信処理のフローチャートは、前記単身者世帯の単身者見守りシステム（図１に於いて１）の処理の図４に示すフローチャートと同じである。但し、前記サーバー（図１に於いて８）が行う処理を見守り者端末７が行い、見守り者端末７は、無事情報を出力する。
【００６２】
更に、図示は省略するが、単身者世帯の単身者見守りシステム５１に於いても前記図５及び図６と同様に、見守り者端末７が入力装置（図示せず）からの開始情報又は終了情報を受信して、前図１３の単身者世帯の単身者見守りシステム５１の処理を開始又は終了する。
又、前記図７と同様に、見守り者端末７は入力装置から設定値を受信して、見守り者端末７が備える記憶装置（図示せず）に設定値を登録する。
尚、単身者世帯の単身者見守りシステム５１に於いて、前記通信機５の通信網９として、固定電話回線、又は、固定電話回線及びインターネットを用いても良い。
【符号の説明】
【００６３】
１，３１，４１，５１  単身者世帯の単身者見守りシステム
２  単身者世帯の単身者
３  トイレ
４  人感センサー
５  通信機
６  見守り者
７  見守り者端末
８  サーバー
９  通信網
１１  パソコン
１２  携帯端末
３２  単身者世帯の単身者側端末
【図２】
2012190294.tif 000003
【図３】
2012190294.tif 000004
【図４】
2012190294.tif 000005
【図５】
2012190294.tif 000006
【図６】
2012190294.tif 000007
【図７】
2012190294.tif 000008
【図８】
2012190294.tif 000009
【図１１】
2012190294.tif 000010
【図１】
2012190294.tif 000011
【図９】
2012190294.tif 000012
【図１０】
2012190294.tif 000013
【図１２】
2012190294.tif 000014